(57)【要約】【課題】価格の低廉なシングルを用いて、ダブルと同等、あるいは、それ以上の利点を享受することのできるトイレットペーパーホルダーを提供する。【解決手段】トイレットペーパーホルダー１は、第一のトイレットペーパー１０を回動自在に保持する第一保持部２と、その第一保持部２の下側に設けられ、第二のトイレットペーパー１０を回動自在に保持する第二保持部３と、第一保持部２と第二保持部３の前面側に設けられ、第一保持部２より低く第二保持部３よりも高い位置に第一及び第二のトイレットペーパー１０を前面側へ引き出すための開口部６を有するカバー部５と、を備える。第一保持部２、第二保持部３のそれぞれのトイレットペーパー１０が裏向きに重ね合わされた状態で、トイレットペーパーホルダー１から引き出される。【選択図】図１
0003140202.tif 000002
【実用新案登録請求の範囲】
【請求項１】
第一のトイレットペーパーを回動自在に保持する第一保持部と、
その第一保持部の下側に設けられ、第二のトイレットペーパーを回動自在に保持する第二保持部と、
前記第一保持部と前記第二保持部の前面側に設けられ、前記第一保持部より低く前記第二保持部よりも高い位置に前記第一及び第二のトイレットペーパーを前面側へ引き出すための開口部を有するカバー部と、
を備えるトイレットペーパーホルダー。
【請求項２】
前記開口部は、その幅方向の一方の端部が切り取られた切欠き状に形成されて前記トイレットペーパーが挿入可能に構成されている請求項１に記載のトイレットペーパーホルダー。
【請求項３】
前記カバー部は、その前面側の、前記開口部の下側に前記トイレットペーパーを切断するための切断手段を有する請求項１または２に記載のトイレットペーパーホルダー。
【請求項４】
前記切断手段は、前記カバー部の前面との間に間隙を設けて備えられた切断刃を有し、前記間隙に前記トイレットペーパーを挿入して切断する請求項３に記載のトイレットペーパーホルダー。
【請求項５】
前記切断刃は、前記カバー部に、その幅方向の一端が固定され他端が開いて前記トイレットペーパーが挿入可能に構成されている請求項４に記載のトイレットペーパーホルダー。
【請求項６】
前記第一保持部は、上側から上下方向に切り取られた形状の、前記トイレットペーパーを支持する支持棒を懸架する切欠き部を有する一対の支持板によって構成された請求項１〜５のいずれか１項に記載のトイレットペーパーホルダー。
【請求項７】
前記第二保持部は、上側から前方下側方向に切り取られた形状の、前記トイレットペーパーを支持する支持棒を懸架する切欠き部を有する一対の支持板によって構成された請求項１〜６のいずれか１項に記載のトイレットペーパーホルダー。
【請求項８】
前記第一保持部、前記第二保持部が連接されており、当該トイレットペーパーホルダーを固定するための背面板を備え、
前記カバー部は、前記背面板または前記第一保持部の上側に回動可能にヒンジ部によって備えられて前面側まで延出して形成されている請求項１〜７のいずれか１項に記載のトイレットペーパーホルダー。
【考案の詳細な説明】
【技術分野】
【０００１】
本考案は、トイレットペーパーを収納して保持するトイレットペーパーホルダーに関する。
【背景技術】
【０００２】
トイレットペーパーホルダーに収納、保持されるトイレットペーパーとしては、一枚の長尺紙をロール巻きにしたシングル、又は二枚の長尺紙を重ねてロール巻きにしたダブル等が市販されている。一枚巻きのシングルは、強度不足、厚み感不足、吸収性能不足等の問題があり、使用者は、ホルダーから長く繰り出して、それを重ねて使用している。一方、二枚重ねのダブルは、ホルダーから繰り出す長さが半減し、強度があるため折り畳み回数も半減する等の利点があり広く普及しているが、製造にコストがかかるため、シングルよりも販売価格が高い。
【０００３】
また、トイレには、トイレットペーパーを収納して保持するトイレットペーパーホルダーが備えられている。トイレットペーパーホルダーには、１個のトイレットペーパーを保持するタイプのものや、予備のトイレットペーパーも収納、保持するタイプのものが知られている（例えば、特許文献１〜３）。
【０００４】
【特許文献１】実開平６−１７５９８号公報
【特許文献２】特開平９−２０６２３８号公報
【特許文献３】特開２００２−６５５０４号公報
【考案の開示】
【考案が解決しようとする課題】
【０００５】
しかしながら、シングルのトイレットペーパーの利便性を向上させるトイレットペーパーホルダーは、未だ開示されていない。本考案の課題は、価格の低廉なシングルを用いて、ダブルと同等、あるいは、それ以上の利点を享受することのできるトイレットペーパーホルダーを提供することにある。
【課題を解決するための手段】
【０００６】
本考案者は、第一のトイレットペーパーを保持する第一保持部と、第二のトイレットペーパーを保持する第二保持部とを上下に並べ、第一保持部より低く第二保持部よりも高い位置にトイレットペーパーを前面側へ引き出すための開口部を有するカバー部を備える構成とするトイレットペーパーホルダーとすることにより、上記課題を解決しうることを見出した。すなわち、本考案によれば、以下のトイレットペーパーホルダーが提供される。
【０００７】
［１］  第一のトイレットペーパーを回動自在に保持する第一保持部と、その第一保持部の下側に設けられ、第二のトイレットペーパーを回動自在に保持する第二保持部と、前記第一保持部と前記第二保持部の前面側に設けられ、前記第一保持部より低く前記第二保持部よりも高い位置に前記第一及び第二のトイレットペーパーを前面側へ引き出すための開口部を有するカバー部と、を備えるトイレットペーパーホルダー。
【０００８】
［２］  前記開口部は、その幅方向の一方の端部が切り取られた切欠き状に形成されて前記トイレットペーパーが挿入可能に構成されている前記［１］に記載のトイレットペーパーホルダー。
【０００９】
［３］  前記カバー部は、その前面側の、前記開口部の下側に前記トイレットペーパーを切断するための切断手段を有する前記［１］または［２］に記載のトイレットペーパーホルダー。
【００１０】
［４］  前記切断手段は、前記カバー部の前面との間に間隙を設けて備えられた切断刃を有し、前記間隙に前記トイレットペーパーを挿入して切断する前記［３］に記載のトイレットペーパーホルダー。
【００１１】
［５］  前記切断刃は、前記カバー部に、その幅方向の一端が固定され他端が開いて前記トイレットペーパーが挿入可能に構成されている前記［４］に記載のトイレットペーパーホルダー。
【００１２】
［６］  前記第一保持部は、上側から上下方向に切り取られた形状の、前記トイレットペーパーを支持する支持棒を懸架する切欠き部を有する一対の支持板によって構成された前記［１］〜［５］のいずれかに記載のトイレットペーパーホルダー。
【００１３】
［７］  前記第二保持部は、上側から前方下側方向に切り取られた形状の、前記トイレットペーパーを支持する支持棒を懸架する切欠き部を有する一対の支持板によって構成された前記［１］〜［６］のいずれかに記載のトイレットペーパーホルダー。
【００１４】
［８］  前記第一保持部、前記第二保持部が連接されており、当該トイレットペーパーホルダーを固定するための背面板を備え、前記カバー部は、前記背面板または前記第一保持部の上側に回動可能にヒンジ部によって備えられて前面側まで延出して形成されている前記［１］〜［７］のいずれかに記載のトイレットペーパーホルダー。
【考案の効果】
【００１５】
第一保持部にて第一のトイレットペーパーを、第二保持部にて第二のトイレットペーパーを、上下に並べた状態で保持することができる。そして、第一保持部より低く第二保持部よりも高い位置に設けられたカバー部の開口部から、第一及び第二のトイレットペーパーを重ねた状態で前面側へ引き出すことができる。このため、一枚巻きのシングルのトイレットペーパーであっても、二枚重ねたダブルのトイレットペーパーのように使用することができる。開口部が第一保持部より低く第二保持部より高い位置にあるため、第一のトイレットペーパーと第二のトイレットペーパーが、互いに逆回転の向きに設置されることになり、それぞれのトイレットペーパーの裏面同士が重ねられ、肌触りのよい表面が外にでることになる。
【考案を実施するための最良の形態】
【００１６】
以下、図面を参照しつつ本考案の実施の形態について説明する。本考案は、以下の実施形態に限定されるものではなく、考案の範囲を逸脱しない限りにおいて、変更、修正、改良を加え得るものである。
【００１７】
図１に本考案の一実施形態のトイレットペーパーホルダー１の斜視図を示す。また、図２に、前面側から見た図、図３に上側から見た図を示す。トイレットペーパーホルダー１は、第一のトイレットペーパー１０を回動自在に保持する第一保持部２と、その第一保持部２の下側に設けられ、第二のトイレットペーパー１０を回動自在に保持する第二保持部３と、第一保持部２と第二保持部３の前面側に設けられ、第一保持部２より低く第二保持部３よりも高い位置に第一及び第二のトイレットペーパー１０を前面側へ引き出すための開口部６を有するカバー部５とを備える。第一保持部２と第二保持部３により、トイレットペーパー１０を上下に並んだ状態で保持することができる。
【００１８】
また、トイレットペーパーホルダー１は、第一保持部２、第二保持部３が連接されており、当該トイレットペーパーホルダー１を壁等に固定するための背面板７を備える。さらに、カバー部５は、背面板７または第一保持部２の上側に回動可能にヒンジ部９によって備えられて上面側から前面側まで延出するように湾曲して形成されている。第一保持部２、第二保持部３、カバー部５、及び背面板７によって囲まれた空間がトイレットペーパー１０を収納するための収納部とされている。カバー部５を上側に開けることにより、トイレットペーパー１０を収納部に出し入れすることができる。
【００１９】
カバー部５の開口部６は、幅方向の一方の端部（開放端６ａ）が切り取られた切欠き状に形成されてトイレットペーパー１０が挿入可能に構成されている。また、カバー部５は、その前面側の、開口部６の下側にトイレットペーパー１０を切断するための切断手段を有する。切断手段として、カバー部５の前面との間に間隙を設けて切断刃１１が備えられている。切断刃１１としては、図に示すような鋸歯を使用することができるが、これに限定されない。切断刃１１は、カバー部５に幅方向の一端が固定され（固定部１１ａ）、他端（開放端１１ｂ）が開いてトイレットペーパー１０が挿入可能に構成されている。このため、開放端１１ｂ側から容易に間隙にトイレットペーパー１０を挿入し、下側へ所望の長さを引き出して下側にて切断刃１１によって切断することができる。なお、開口部６と切断刃１１とが離れた位置に備えられているため、トイレットペーパー１０を切断後に、残りのロール巻きのトイレットペーパー１０の先端が収納部側へ戻ってしまうことを防止することができる。
【００２０】
第一保持部２は、上側から上下方向に切り取られた形状の、トイレットペーパー１０の中心に挿入されてこれを支持する支持棒１２を懸架する切欠き部２ｋを有する一対の支持板２ａによって構成されている。切欠き部２ｋは、上側から上下方向に切り取られた形状であるため、支持棒１２を容易に懸架することができる。また、トイレットペーパー１０は、下方向に引っ張られることになるため、支持棒１２が切欠き部２ｋから外れることがない。
【００２１】
第二保持部３は、上側から前方下側方向に切り取られた形状の、トイレットペーパー１０の中心に挿入されてこれを支持する支持棒１２を懸架する切欠き部３ｋを有する一対の支持板３ａによって構成されている。切欠き部３ｋは、上側から前方下側方向に傾斜して切り取られた形状であるため、支持棒１２を容易に懸架することができる。また、トイレットペーパー１０は、上方向に引っ張られることになり、切欠き部３ｋは、斜め下方向に切り取られた形状とされているため、支持棒１２が切欠き部２ｋから外れにくくなっている。なお、第二保持部３の切欠き部３ｋは、本実施形態の形状に限られず、トイレットペーパー１０を上方向へ引き出した場合に、その力の方向に抗する形状であればよい。
【００２２】
図４を用いて本考案のトイレットペーパーホルダー１の使用方法について説明する。図４に示すように、カバー部５を上方へ開けることにより、第一保持部２、第二保持部３、カバー部５、及び背面板７によって囲まれた収納部へ、トイレットペーパー１０を入れて、第一保持部２と第二保持部３のそれぞれに、トイレットペーパー１０を支持する支持棒１２を懸架して収納する。このとき、図４に示すように、第一保持部２のトイレットペーパー１０を、下方に引き出す向きに取り付け、第二保持部３のトイレットペーパー１０を、上方に引き出す向きに取り付ける。言い換えると、第一保持部２のトイレットペーパー１０と、第二保持部３のトイレットペーパー１０は、互いに逆回転となるように取り付けられる。
【００２３】
そして、カバー部５を閉めて、第一保持部２のトイレットペーパー１０、第二保持部３のトイレットペーパー１０のそれぞれを端部が開いた開放端６ａ、開放端１１ｂから開口部６、及び切断刃１１とカバー部５の前面との間の間隙に挿入する。トイレットペーパー１０は、一枚巻きのいわゆるシングルを使用すれば、第一保持部２、第二保持部３のそれぞれのトイレットペーパー１０が裏向きに重ね合わされた状態で、トイレットペーパーホルダー１から引き出される。引き出されたトイレットペーパー１０を、切断刃１１によって切断して使用することができる。一般に、トイレットペーパー１０は、表面と裏面との肌触りが異なり、表面は、肌触りがよいが、裏面は、あまり良くない。本考案のトイレットペーパーホルダー１を使用すれば、トイレットペーパー１０の裏側同士が重ね合わされた状態で切り取られるため、外側は、どちらの面も表面となり肌触りが良い。また、２枚重ねの状態で切り取ることができるため、低廉なシングルを使用しつつもシングルの欠点である強度不足、厚み感不足、吸収性能不足等の問題を解決することができる。
【００２４】
なお、第二保持部３のトイレットペーパー１０を、図４に示すように第一保持部２のトイレットペーパー１０と裏側同士が重ね合わされたように配置せずに、第二保持部３のトイレットペーパー１０の表側が、第一保持部２のトイレットペーパー１０の裏側に重ねあわされるように配置してもよい。このため、カバー部５の前面に、どちら向きに第二保持部３のトイレットペーパー１０を配置したかを示す表示部１５を設けるとよい。表示部１５は、スライドや反転などにより、「表」「裏」、または「順方向」「逆方向」等の表示を変えられるように構成するとよい。
【００２５】
また、第一保持部２、第二保持部３のそれぞれに二枚重ねのいわゆるダブルを使用することもできる。この場合、第一保持部２、第二保持部３のトイレットペーパー１０を重ねて引き出すことにより、４枚重ねの状態となり、長く引き出す手間を低減することができる。また、第一保持部２、第二保持部３のトイレットペーパー１０を重ねて引き出さず、まず、第一保持部２のトイレットペーパー２を使用し、第二保持部３のトイレットペーパー１０を予備とすることもできる。
【産業上の利用可能性】
【００２６】
本考案は、トイレットペーパーを収納して保持するトイレットペーパーホルダーとして利用することができる。また、その他のロール巻きにされたロール状衛生用紙等に使用することもできる。
【図面の簡単な説明】
【００２７】
【図１】本考案の一実施形態のトイレットペーパーホルダーの斜視図である。
【図２】トイレットペーパーホルダーを前面側から見た図である。
【図３】トイレットペーパーホルダーを上側から見た図である。
【図４】トイレットペーパーホルダーの断面図である。
【符号の説明】
【００２８】
１：トイレットペーパーホルダー、２：第一保持部、２ａ：（第一保持部の）支持板、２ｋ：（第一保持部の）切欠き部、３：第二保持部、３ａ：（第二保持部の）支持板、３ｋ：（第二保持部の）切欠き部、５：カバー部、６：開口部、６ａ：開放端、７：背面板、９：ヒンジ部、１０：トイレットペーパー、１１：切断刃、１１ａ：固定部、１１ｂ：開放端、１２：支持棒、１５：表示部。
【図１】
0003140202.tif 000003
【図２】
0003140202.tif 000004
【図３】
0003140202.tif 000005
【図４】
0003140202.tif 000006